(57)【要約】  【課題】  冷間始動直後の排気浄化を行うバイパス触媒コンバータをより上流側に配置できるようにするとともに、流路切換弁４の組立作業の容易化及び寸法精度の向上を図る。  【解決手段】  気筒毎に接続された４本の上流側メイン通路が集合する合流部に流路切換弁４を配置する。各上流側メイン通路から分岐するバイパス通路にバイパス触媒コンバータを介装する。流路切換弁４閉時には、メイン流路が遮断されると同時に、各気筒の上流側メイン通路同士が非連通状態となる。流路切換弁４は、４つの弁開口部２２が開口したハウジング２１と弁体２４とを有し、２つの弁体２４が共通の弁支持体２５に取り付けられる。この弁支持体２５は、ハウジング２１に回転可能に支持される回転軸と一体的に回転する軸部２５Ａに、弁体２４がそれぞれ固定される２つのアーム部２５Ｂが一体的に形成されている。【選択図】図２
2008008284.tif 000002
【特許請求の範囲】
【請求項１】
各気筒にそれぞれ接続された気筒毎の上流側メイン通路と、
複数の気筒の上流側メイン通路が合流してなる下流側メイン通路と、
この下流側メイン通路もしくはこれよりも下流の流路に介装されたメイン触媒コンバータと、
上記上流側メイン通路から分岐するとともにバイパス触媒コンバータが介装されたバイパス通路と、
各気筒から排出された排気が上記バイパス通路へ流れるように、上記上流側メイン通路を開閉するとともに、閉時に各上流側メイン通路相互の連通を遮断する流路切換弁と、を備え、
上記流路切換弁は、ハウジングに並んで形成される複数の弁開口部をそれぞれ開閉する複数の弁体が共通の弁支持体に取り付けられ、この弁支持体は、ハウジング側に回転可能に支持される回転軸と一体的に回転する軸部に、上記弁体がそれぞれ固定される複数のアーム部が一体的に形成されていることを特徴とする内燃機関の排気装置。
【請求項２】
上記回転軸が弁支持体の軸部と一体的に形成されていることを特徴とする請求項１に記載の内燃機関の排気装置。
【請求項３】
上記ハウジングとともに回転軸を回転可能に挟持するカバーを有し、このカバーが回転軸を挟んでハウジングにボルトにより固定されることを特徴とする請求項１又は２に記載の内燃機関の排気装置。
【請求項４】
上記ハウジングとカバーとにより回転可能に挟持される回転軸のジャーナル部にブッシュが予め取り付けられていることを特徴とする請求項３に記載の内燃機関の排気装置。
【請求項５】
上記カバーとともに回転軸のジャーナル部を回転可能に挟持するハウジングの軸受部にブッシュが予め取り付けられていることを特徴とする請求項３に記載の内燃機関の排気装置。
【請求項６】
上記弁支持体の軸部には、隣り合う２つのアーム部の間に、上記ハウジング及びカバー側との隙間を埋めるように、スペーサが取り付けられていることを特徴とする請求項３〜５のいずれかに記載の内燃機関の排気装置。
【請求項７】
上記弁体が、上記弁開口部を開閉する弁本体部と、この弁本体部から起立する弁軸部と、を有し、
上記アーム部に、上記弁軸部が遊嵌する貫通孔が形成され、
この貫通孔を貫通して弁本体部の反対側へ突出する弁軸部の先端部に、上記貫通孔よりも外径の大きい保持リングが固定され、
かつ、互いに対向する上記アーム部の側面と保持リングの側面の少なくとも一方に、上記弁軸部へ近づくほど他方の側面へ近づくように傾斜又は湾曲するテーパ部を設けたことを特徴とする請求項１〜６のいずれかに記載の内燃機関の排気装置。
【請求項８】
上記テーパ部を、上記アーム部の側面に対向する保持リングの側面の全面にわたって設けたことを特徴とする請求項７に記載の内燃機関の排気装置。
【請求項９】
上記テーパ部を、上記保持リングの側面に対向するアーム部の側面の中で、上記弁軸部よりもアーム部の軸部から遠い先端部にのみ設けたことを特徴とする請求項７に記載の内燃機関の排気装置。
【請求項１０】
上記弁体が上流側メイン通路の上流側へ開くように構成されていることを特徴とする請求項１〜９に記載の内燃機関の排気装置。
【発明の詳細な説明】
【技術分野】
【０００１】
この発明は、触媒コンバータで排気浄化を行う内燃機関の排気装置、特に、メイン触媒コンバータが活性化していない冷間始動直後に、別の触媒コンバータを備えたバイパス流路側に排気を案内するようにした形式の排気装置の改良に関する。
【背景技術】
【０００２】
従来から知られているように、車両の床下などの排気系の比較的下流側にメイン触媒コンバータを配置した構成では、内燃機関の冷間始動後、触媒コンバータの温度が上昇して活性化するまでの間、十分な排気浄化作用を期待することができない。また一方、触媒コンバータを排気系の上流側つまり内燃機関側に近付けるほど、触媒の熱劣化による耐久性低下が問題となる。そのため、特許文献１に開示されているように、メイン触媒コンバータを備えたメイン流路の上流側部分と並列にバイパス流路を設けるとともに、このバイパス流路に、別のバイパス触媒コンバータを介装し、両者を切り換える切換弁によって、冷間始動直後は、バイパス流路側に排気を案内するようにした排気装置が、従来から提案されている。この構成では、バイパス触媒コンバータは排気系の中でメイン触媒コンバータよりも相対的に上流側に位置しており、相対的に早期に活性化するので、より早い段階から排気浄化を開始することができる。
【特許文献１】特開平５−３２１６４４号公報
【発明の開示】
【発明が解決しようとする課題】
【０００３】
上記従来の排気装置では、バイパス流路は、排気マニホルドの合流点よりも下流側においてメイン流路から分岐している。つまり、多気筒内燃機関において、各気筒の排気流路が１本の流路に合流した合流点よりも下流側の部分で、メイン流路とバイパス流路とが並列に配置された構成となっている。従って、バイパス流路に介装されたバイパス触媒コンバータは、メイン触媒コンバータよりは上流側位置となるものの、各気筒の排気ポートからの距離はかなり大きく、始動直後から直ちに排気浄化を開始することができない。
【０００４】
また、排気マニホルドの下流側でバイパス流路へと分岐するので、大型部品である排気マニホルド全体の熱容量によって、バイパス流路へ流入する排気の温度が低下し、それだけバイパス触媒コンバータによる排気浄化の開始が遅れてしまう。しかも、切換弁がメイン流路側を閉塞している状態においても、各気筒で順次排気行程が到来することから、一つの気筒の排気流路から他の気筒の排気流路へと排気が回り込む現象が生じる。そのため、外部へ熱が逃げやすくなり、バイパス触媒コンバータの温度上昇が阻害される。
【課題を解決するための手段】
【０００５】
この発明に係る内燃機関の排気装置は、各気筒にそれぞれ接続された気筒毎の上流側メイン通路と、複数の気筒の上流側メイン通路が合流してなる下流側メイン通路と、この下流側メイン通路もしくはこれよりも下流の流路に介装されたメイン触媒コンバータと、上記上流側メイン通路から分岐するとともにバイパス触媒コンバータが介装されたバイパス通路と、各気筒から排出された排気が上記バイパス通路へ流れるように、上記上流側メイン通路を開閉するとともに、閉時に各上流側メイン通路相互の連通を遮断する流路切換弁と、を備えている。そして、上記流路切換弁は、ハウジングに並んで形成される複数の弁開口部をそれぞれ開閉する複数の弁体が共通の弁支持体に取り付けられ、この弁支持体は、ハウジングに回転可能に支持される回転軸と一体的に回転する軸部に、上記弁体がそれぞれ固定される複数のアーム部が一体的に形成されている。
【０００６】
本発明の排気装置においては、バイパス通路の少なくとも上流側部分は、気筒数と同じ数の通路となっており、メイン流路つまり上流側メイン通路の合流点よりも上流側の位置において、該上流側メイン通路からそれぞれ分岐する。従って、メイン流路の合流点の位置に制約されずに、バイパス触媒コンバータをより上流側に配置することが可能となる。また、バイパス流路側へ分岐する点が各気筒に近い位置となるので、冷間始動直後などに、メイン流路の熱容量による冷却作用を比較的受けずにバイパス流路側に排気が流入する。
【０００７】
すなわち、冷間始動直後などには、上記流路切換弁が閉じ、上流側メイン通路と下流側メイン通路との間を遮断する。これにより、各気筒から吐出される排気は、バイパス触媒コンバータを備えたバイパス通路側を流れる。そして、同時に、流路切換弁は、複数の上流側メイン通路の弁開口部を個々に閉塞するので、各気筒の上流側メイン通路の相互の連通が遮断される。流路切換弁を閉状態としたときに各上流側メイン通路が互いに連通していると、各気筒で順次排気行程が到来することから、一つの気筒の上流側メイン通路から他の気筒の上流側メイン通路へと排気が回り込む現象が生じる。そのため、外部へ熱が逃げやすくなり、バイパス触媒コンバータの温度上昇が阻害される。流路切換弁の閉時に各上流側メイン通路が互いに非連通状態となるようにすることで、この回り込みの現象を回避できる。
【０００８】
このように各気筒の上流側メイン通路を一斉に開閉するために、流路切換弁は、例えばハウジングに並んで形成される複数の弁開口部をそれぞれ開閉する複数の弁体がアーム部を介して共通の回転軸に取り付けられるが、仮に複数のアーム部がそれぞれ個別に回転軸に組み付けられる構成であるとすると、回転軸への組付誤差や公差によって、幾つかの弁体が良好に弁開口部に密接せずに、シール性の低下を招くおそれがある。
【０００９】
そこで本発明では、特に、複数の弁体を共通の弁支持体に取り付け、この弁支持体を、ハウジングに回転可能に支持される回転軸と一体的に回転する軸部に、上記弁体がそれぞれ固定される複数のアーム部が一体的に形成されるものとした。
【発明の効果】
【００１０】
本発明によれば、一般に排気マニホルドとして構成されるメイン流路の合流点の位置に制約されずに、バイパス触媒コンバータをより上流側つまり各気筒に近い位置に配置することが可能となり、しかもメイン流路を構成する排気マニホルド等の熱容量による冷却作用が低減するので、冷間始動後、早期に排気浄化作用を得ることができる。そして、回転軸を共用する複数の弁体の中の一部の弁体のシール性低下を回避でき、バイパス通路側へ排気を案内すべく流路切換弁が閉じた状態において、各気筒のメイン流路を確実に遮断することができるとともに、各気筒の上流側メイン通路の間での排気の回り込みを防止できるため、バイパス触媒コンバータの昇温性能が向上する。
【００１１】
そして、複数の弁体がそれぞれ取り付けられる複数のアーム部を軸部に一体的に形成して弁支持体として構成したために、部品点数の削減による構造の簡素化・小型化や組立作業の簡素化が図られることに加え、複数のアーム部をそれぞれ回転軸に取り付ける場合に比して、製造・組付時の誤差や寸法交差による複数の弁体の組付ばらつきを低減して、特に回転軸に対する複数の弁体の組付精度を著しく向上することができ、ひいてはシール性能及びその信頼性を向上することができる。
【発明を実施するための最良の形態】
【００１２】
以下、この発明を直列４気筒内燃機関の排気装置として適用した実施例を図面に基づいて詳細に説明する。図１はこの排気装置の配管レイアウトを模式的に示した説明図であり、始めに、この図１に基づいて、排気装置全体の構成を説明する。直列に配置された♯１気筒〜♯４気筒からなる各気筒１には、気筒毎に上流側メイン通路２が接続されている。４つの気筒に個々に接続された４本の上流側メイン通路２は、下流側で１本の下流側メイン通路３として合流しており、その合流部、換言すれば、上流側メイン通路２と下流側メイン通路３との境界となる部位には、４本の上流側メイン通路２を一斉に開閉する流路切換弁４が設けられている。この切換弁４は、冷間時に閉じられるものであって、閉時には、上流側メイン通路２と下流側メイン通路３との間の上下の連通を遮断するとともに、４本の上流側メイン通路２の間を互いに非連通状態とする構成となっている。
【００１３】
流路切換弁４から下流に延びる下流側メイン通路３の途中には、メイン触媒コンバータ８が介装されている。このメイン触媒コンバータ８は、車両の床下に配置される容量の大きなものであって、その触媒としては、三元触媒とＨＣトラップ触媒とを含んでいる。以上の上流側メイン通路２と下流側メイン通路３とメイン触媒コンバータ８とによって、通常の運転時に排気が通流するメイン流路が構成される。
【００１４】
なお、メイン流路として、直列４気筒内燃機関において周知の「４−２−１」の形で集合するように、一対の上流側メイン通路２に対して１本の下流側メイン通路をそれぞれ設け、一対の下流側メイン通路をさらに１本の流路に合流させて、そこにメイン触媒コンバータ８を配置するようにしてもよい。この場合も、流路切換弁４は、４本の上流側メイン通路２を個々に開閉するように設けられる。
【００１５】
一方、バイパス流路として、上流側メイン通路２の各々から、上流側バイパス通路１１が分岐している。この上流側バイパス通路１１は、上流側メイン通路２よりも通路断面積が十分に小さなものであって、その上流端となる分岐点１２は、上流側メイン通路２のできるだけ上流側の位置に設定されている。そして、互いに隣接した位置にある♯１気筒の上流側バイパス通路１１と♯２気筒の上流側バイパス通路１１とが合流点１３において１本の中間バイパス通路１４として互いに合流しており、同様に互いに隣接した位置にある♯３気筒の上流側バイパス通路１１と♯４気筒の上流側バイパス通路１１とが合流点１３において１本の中間バイパス通路１４として互いに合流している。なお、各通路を模式的に示した図１では、各上流側バイパス通路１１が比較的長く描かれているが、実際には、可能な限り短くなっている。換言すれば、最短距離でもって中間バイパス通路１４として合流している。２本の中間バイパス通路１４は、合流点１５において１本の下流側バイパス通路１６として互いに合流している。この下流側バイパス通路１６の下流端は、下流側メイン通路３のメイン触媒コンバータ８より上流側の合流点１７において、下流側メイン通路３に合流している。そして、上記下流側バイパス通路１６の途中には、三元触媒を用いたバイパス触媒コンバータ１８が介装されている。このバイパス触媒コンバータ１８は、バイパス流路の中で、可能な限り上流側に配置されている。つまり、中間バイパス通路１４もできるだけ短くなっている。
【００１６】
なお、上記実施例では、バイパス流路全体の通路長（各気筒のバイパス通路の総和）を短くして、配管自体の熱容量ならびに外気に対する放熱面積を小さくするために、４本の上流側バイパス通路１１を長く引き回さずに上流側で２本の中間バイパス通路１４にまとめているが、このような構成は任意であり、例えば、バイパス触媒コンバータ１８が気筒列の一方に偏って位置する場合などには、他方の端部気筒から直線状に延ばした上流側バイパス通路に残りの気筒の上流側バイパス通路を略直角に接続することにより、全体の通路長を短くすることができる。
【００１７】
上記バイパス触媒コンバータ１８は、その内部に、前後に分割された２つのモノリス触媒担体つまり第１触媒１８ａと第２触媒１８ｂとを備えている。そして、これらの第１触媒１８ａと第２触媒１８ｂとの間の間隙１９に、排気還流通路２０の一端が接続されている。この排気還流通路２０の他端は、図示せぬ排気還流制御弁を介して機関吸気系へと延びている。つまり、上記間隙１９が、還流排気の取り出し口となっている。上記バイパス触媒コンバータ１８は、メイン触媒コンバータ８に比べて容量が小さな小型のものであり、望ましくは、低温活性に優れた触媒が用いられる。
【００１８】
上記のように構成された排気装置においては、冷間始動後の機関温度ないしは排気温度が低い段階では、適宜なアクチュエータを介して流路切換弁４が閉じられ、メイン流路が遮断される。そのため、各気筒１から吐出された排気は、その全量が、分岐点１２から上流側バイパス通路１１および中間バイパス通路１４を通してバイパス触媒コンバータ１８へと流れる。バイパス触媒コンバータ１８は、排気系の上流側つまり気筒１に近い位置にあり、かつ小型のものであるので、速やかに活性化し、早期に排気浄化が開始される。また、このとき、流路切換弁４が閉じることで、各気筒１の上流側メイン通路２が互いに非連通状態となる。そのため、ある気筒から吐出された排気が他の気筒の上流側メイン通路２へと回り込む現象が防止され、この回り込みに伴う排気温度の低下が確実に回避される。
【００１９】
一方、機関の暖機が進行して、機関温度ないしは排気温度が十分に高くなったら、流路切換弁４が開放される。これにより、各気筒１から吐出された排気は、主に、上流側メイン通路２から下流側メイン通路３を通り、メイン触媒コンバータ８を通過する。このときバイパス流路側は特に遮断されていないが、バイパス流路側の方がメイン流路側よりも通路断面積が小さく、かつバイパス触媒コンバータ１８が介在しているので、両者の通気抵抗の差により、排気流の大部分はメイン流路側を通り、バイパス流路側には殆ど流れない。従って、バイパス触媒コンバータ１８の熱劣化は十分に抑制される。またバイパス流路側が完全に遮断されないことから、排気流量が大となる高速高負荷時には、排気流の一部がバイパス流路側を流れることで、背圧による充填効率低下を回避することができる。
【００２０】
次に、本発明の要部である流路切換弁４の構成を図２〜４に基づいて説明する。この第１実施例では、４気筒分の流路切換弁４が一つのバルブユニットとして一体化されており、流れと直交する面に沿った略矩形状をなすハウジング２１に、４個の円形の弁開口部２２が、２列に並んで、つまり正方形の頂点となる位置に、それぞれ開口形成されているとともに、このハウジング２１の両側部に、一対の回転軸２３が互いに平行に配置されている。そして、隣接する一対の弁開口部２２をそれぞれ開閉する一対の円盤状の弁体２４が、共通の弁支持体２５を介して回転軸２３に取り付けられている。
【００２１】
この弁支持体２５は、回転軸２３の外周に設けられる軸部２５Ａと、この軸部２５Ａの軸方向両端の外周より径方向外方へ突出し、一対の弁体２４がそれぞれ組み付けられる一対のアーム部２５Ｂと、により構成されている。特に、この実施例にあっては、弁支持体２５の軸部２５Ａと回転軸２３とが一体的に形成されており、つまり、回転軸２３を含めて弁支持体２５の軸部２５Ａとアーム部２５Ｂとが一体的に成形されている。アーム部２５Ｂは、略長方形の板状をなし、基端部が軸部２５Ａに一体的に接続しているとともに、図３に示すように、先端部に断面円形の貫通孔（取付孔）２７を有している。
【００２２】
上記の弁体２４は、弁開口部２２を開閉する円盤状をなす弁本体部２８Ａと、この弁本体部２８Ａの中央部から垂直に起立する弁軸部２８と、を有し、この弁軸部２８が貫通孔２７を隙間を介して緩く嵌合、すなわち遊嵌する構成となっている。そして、この貫通孔２７を貫通して弁本体部２８Ａの反対側（図３の上側）へ突出する弁軸部２８の先端部に、上記貫通孔２７よりも外径の大きい、いわゆるワッシャとしての円盤状の保持リング２９が固定されている。この保持リング２９によって弁体２４が弁支持体２５に対して抜け止めされている。従って、弁体２４は、アーム部２５Ｂに対して完全には固定されておらず、弁開口部２２周縁のシール面（図示せず）に良好に密接し得るように、アーム部２５Ｂに対し僅かな揺動（いわゆる首振り）が可能となっている。
【００２３】
なお、圧力差によるシール性確保の点から、弁体２４が弁開口部２２を上流側から開閉するように、つまりメイン上流側通路２の上流側（気筒１の燃焼室側）に開くように構成することが望ましい。この場合、上述した上流側メイン通路２となる各気筒の排気管の端部（図示せず）が、揺動する弁体２４を収容するように断面略Ｕ字形に構成され、各弁開口部２２を囲むハウジング２１の隔壁部３０に沿ってそれぞれ溶接される。従って、ハウジング２１より上流側では各気筒の上流側メイン通路２は完全に分離独立している。
【００２４】
各回転軸２３は、カバー４０とハウジング２１の間に挟持され、３箇所の軸受部３１，３２，３３でもって、ハウジング２１側へ回転可能に支持されている。各カバー４０は、回転軸２３を挟み込んだ状態で、複数の固定ボルト４１（図４参照）によって軸受部３１，３２，３３の位置でハウジング２１に締結・固定される。カバー４０には固定ボルト４１が挿通する複数のボルト貫通孔４２が形成され、ハウジング２１には固定ボルト４１が螺合する雌ネジが形成されたボルト孔４３が形成されている。
【００２５】
回転軸２３のハウジング２１から突出した一端にはリンクプレート３４が取り付けられていて、このリンクプレート３４を介して回転軸２３が回転方向に駆動される。ここで、２本の回転軸２３のリンクプレート３４は、適宜なリンク機構等の図示しない連動機構を介して互いに連動しており、図示せぬ１つのアクチュエータでもって同時に対称的に開閉動作する。つまり、４つの弁体２４が一斉に開閉する。
【００２６】
この実施例では、両側の軸受部３１，３３でハウジング２１とカバー４０とにより回転可能に挟持される回転軸２３の２箇所のジャーナル部２３Ａに、円筒状をなすシール用のブッシュ４４，４５が予め取り付けられている。また、弁支持体２５の軸部２５Ａには、隣り合う２つのアーム部２５Ｂの間の軸受部３２に、ハウジング２１及びカバー４０側との隙間を埋めるように、略環状のスペーサ４６が取り付けられている。図５に示すように、スペーサ４６は、弁支持体２５の２つのアーム部２５Ｂを接続するように、軸部２５Ａの外周部から張り出した連結片部２５Ｃに嵌合する開口部４６Ａが形成された略Ｃ字状をなしている。
【００２７】
回転軸２３に対する各弁体２４の取付角度、より具体的には、弁支持体２５の軸部２５Ａに対する２つのアーム部２５Ｂの角度は、例えば図６及び図１０に示すように互いに異なっている。すなわち、回転軸２３の回転方向について、被駆動点となるリンクプレート３４に遠い弁体２４Ｂ（図１０参照）の方がリンクプレート３４に近い弁体２４Ａ（図１０参照）よりも弁開口部２２に相対的に近づくように、両アーム部２５Ｂの間に僅かな角度差θを設けてある。従って、回転軸２３が閉方向に駆動されたときに、被駆動点から遠い弁体２４Ｂが先に着座し、その後、回転軸２３のねじれ変形に伴って、被駆動点に近い弁体２４Ａが着座する。そのため、遠い側の弁体２４Ｂのシール面圧が高められ、近い側の弁体２４Ａと略等しいシール面圧が得られる。
【００２８】
このように良好なシール性能を確保するためには、両弁体２４Ａ，２４Ｂの取付角度、つまりは２つのアーム部２５Ｂの角度（角度差θ）に高い寸法精度が要求される。しかしながら、仮に２つのアーム部が別体とされ、それぞれが別々に回転軸に組み付けられる構成となっていると、製造・組付時の誤差・寸法交差によって、アーム部の角度に高い精度を確保することが困難で、良好なシール性能を確保することが難しい。
【００２９】
これに対して本実施例では、弁支持体２５を、ハウジング２１側に回転可能に支持される回転軸２３と一体的に回転する軸部２５Ａに、複数の弁体２４がそれぞれ組み付けられる複数のアーム部２５Ｂが一体的に形成されたものとしている。このため、部品点数の削減による構造の簡素化・小型化や組立作業の簡素化が図られることに加え、上述したように複数のアーム部をそれぞれ別々に回転軸に取り付ける場合に比して、製造・組付時の誤差や交差による複数の弁体の組付ばらつきを低減でき、弁体２４の組付寸法精度を著しく向上することができ、ひいてはシール性能及びその信頼性を著しく向上することができる。
【００３０】
また、ハウジング２１とともに回転軸２３を回転可能に挟持するカバー４０が回転軸２３を挟んでハウジング２１に複数の固定ボルト４１によって固定される構造となっており、例えば溶接等により接合・固定する場合に比して、組立作業が簡素化される。
【００３１】
更に、ハウジング２１とカバー４０との軸受部３１，３３で回転可能に挟持される回転軸２３のジャーナル部２３Ａにブッシュ４４，４５が予め取り付けられているため、組立作業が簡素化されるとともに、これらのブッシュ４４，４５によって外部へのガス漏れを確実に防止することができ、シール性能を更に向上することができる。
【００３２】
加えて、弁支持体２５の軸部２５Ａには、隣り合う２つのアーム部２５Ｂの間であって、軸受部３２によって回転可能に支持される部分に、ハウジング２１及びカバー４０側との隙間を埋めるようにスペーサ４６が取り付けられている。従って、弁支持体２５を一体化した形状としつつ、スペーサ４６によりこの部分に生じる隙間を最小限に抑制することができ、昇温性の向上とシール信頼性の向上とを図ることができる。
【００３３】
更に本実施例では、回転軸２３と弁支持体２５の軸部２５Ａとが一体的に形成されているために、より一層の部品点数削減化や寸法精度の向上等を図ることができる。但し、本発明はこれに限られず、例えば図７に示す第２実施例のように、回転軸２３が弁支持体２５と別体とされていても良い。この場合、例えばボルト孔４７に嵌合する固定ボルト（図示省略）によって、弁支持体２５の略筒状をなす軸部２５Ａと回転軸２３とが固定される。
【００３４】
図８に示す第３実施例では、ハウジング２１のリンクプレート３４から最も遠い軸受部３３の近傍にプレート部４８が形成され、このプレート部４８に貫通形成された取付孔４９に予めブッシュ５０が圧入等により固定されている。組付の際には、このブッシュ４７に回転軸２３の一端を挿入して組み付け、その後、図２〜図４の第１実施例と同様、回転軸２３を挟んでカバー４０とハウジング２１を固定ボルト４１により締結・固定すればよい。このように、ハウジング２１の軸受部３３に予めブッシュ４７を取り付けておくことで、組立作業の簡素化が図られるとともに、外部へのガス漏れをより一層確実に防止することができる。
【００３５】
図９及び図１０に示す参考例を参照して、上述したように圧力差によるシール性確保の点から、弁体２４の弁本体部２８Ａが上流側メイン通路２の上流側（燃焼室側、図９の上側）へ開くように構成され、また、組付性及び着座性の観点から弁軸部２８がアーム部２５Ｂの貫通孔２７を隙間を介して緩く嵌合つまり遊嵌し、弁体２４がアーム部２５Ｂに対して僅かな揺動動作いわゆる首振り動作が可能となっていると、弁体２４を閉から開に駆動する開弁駆動時に、上流側メイン通路２の上流側つまり気筒１の燃焼室側より排出される高温・高圧の排気ガスの流れＦに逆らって、保持リング２９に対して傾斜するアーム部２５Ｂが保持リング２９を押し上げることとなり、アーム部２５Ｂと保持リング２９との接触部分が、アーム部２５Ｂの先端寄りのエッジ部分５１での点接触・線接触又はそれに近いものとなって、接触面積が非常に小さくなり、この接触部分５１に大きな曲げモーメントＭが作用することから、弁軸部２８とこれが嵌合する保持リング２９の中央貫通孔５７との境界部分、特に、その上端の付け根部分５２に応力集中を招き易い。
【００３６】
また、上述したように閉弁時のシール性を考慮して１本の回転軸２３で駆動される２つのアーム部２５Ｂ，２５Ｂに位相差θ（図６参照）を設けている場合、開弁状態では、例えば駆動点に近い一方の弁体２４Ａが、例えばカバー４０に設けられるストッパ５３（図４参照）に突き当てられるものの、駆動点から遠い側の他方の弁体２４Ｂがストッパ５３に突き当てられず、ストッパ５３との間に間隙５４が設けられたフリー状態で高温・高圧の排気ガス中にさらされるために、アーム部２５Ｂに対して弁体２４（２４Ｂ）が揺動・振動し、特に上記の接触部分５１や応力集中を招き易い付け根部分５２での耐久性が問題となり易く、信頼性に乏しい。
【００３７】
そこで、図１１，図１２に示す第４，第５実施例では、互いに対向するアーム部２５Ｂの側面と保持リング２９の側面の少なくとも一方に、弁軸部２８に直交する基準面５６に対し、中央の弁軸部２８へ近づくほど他方の側面へ近づくように傾斜（又は湾曲）するテーパ部５５，５５Ａを設けている。言い換えると、図１１（Ｂ），図１２（Ｂ）に示すように、開弁駆動時（図９参照）、あるいはストッパ５３に突き当てられない弁体２４Ｂの開弁状態等において、傾斜するアーム部２５Ｂの側面とこれに対向する保持リング２９の側面とがほぼ平行となるように、両者の少なくとも一方に所定角度α（例えば１〜１０度）で傾斜するテーパ部５５，５５Ａを設けている。これによって、アーム部２５Ｂの側面と保持リング２９の側面とを略平行として両者を実質的に面接触させることができ、上記参考例に比して接触面積を大幅に拡大することができるので、上述したような局部的な応力集中を緩和し、耐久性や信頼性を改善することができる。
【００３８】
特に、図１１に示す第４実施例においては、テーパ部５５を、アーム部２５Ｂの上側の側面に対向する保持リング２９の下側の側面の全面にわたって設けている。つまり、保持リング２９の下側の側面を、弁軸部２８が圧入固定される中央貫通孔５７へ向かう（仮想）円錐状のテーパ面としている。従って、アーム部２５Ｂに対する弁体２４及び保持リング２９の回転位置にかかわらず、開弁駆動時等でのアーム部２５Ｂと保持リング２９との接触面積を広く確保することができ、かつ、保持リング２９が簡素な軸対象形状であるために、周知の面取り加工等により比較的容易にテーパ部５５を形成することができる。
【００３９】
図１２に示す第５実施例では、テーパ部５５Ａを、保持リング２９の下側の側面に対向するアーム部２５Ｂの上側の側面の中で、弁軸部２８よりもアーム部２５の軸部２５Ａから遠い側の先端部、つまり開弁駆動時等にアーム部２５Ｂが傾斜することによって保持リング２９の側面へ近づくこととなる先端部にのみ設けている。この第５実施例によれば、開弁駆動時等におけるテーパ部５５Ａと保持リング２９の側面との接触面積を広く確保しつつ、このテーパ部５５Ａの形成範囲をアーム部２５Ｂの先端部のみとして、このテーパ部５５Ａを周知の面取り加工等により容易に形成することができる。
【００４０】
また、図１１及び図１２にも示すように、保持リング２９と弁軸部２８との固定については、弁軸部２８を保持リング２９の中央貫通孔５７に圧入により固定し、かつ、弁軸部２８の上面が中央貫通孔５７の内部へ入り込むように弁軸部２８を短縮化・中央貫通孔５７を長尺化し、この弁軸部２８の上面が臨んだ中央貫通孔５７の窪み部分５８のみを溶接により固定している。このような固定構造によれば、例えば弁軸部２８の外周面と保持リング２９の中央貫通孔５７の内周面との嵌合部分を全体的に溶接する場合に比して、その溶接領域（窪み部分）５８が小さくなり、溶接による入熱量を低減し、これによる残留歪の発生を抑制することができる。
【００４１】
更に、上記の参考例に比して、弁軸部２８の外径を大きくするとともに、保持リング２９の外径を小さくしており、これによって、弁軸部２８からアーム部２５Ｂと保持リング２９とが接触する荷重点までの距離を短くしている。これにより上記の曲げモーメントを低減し、耐久性・信頼性をより一層向上することができる。
【００４２】
以上のように本発明を具体的な実施例に基づいて説明してきたが、本発明は上記実施例に限定されるものではなく、その趣旨を逸脱しない範囲で、種々の変形・変更を含むものである。例えば、上記実施例のような４気筒内燃機関、あるいは２つの弁体２４が１本の回転軸２３を共用する構成に限定されず、３つ以上の弁体が回転軸を共用するような構成にも本発明を適用可能である。また、上記の弁軸部２８では、保持リング２９が圧入・固定される部分がアーム部２５Ｂの貫通孔２７を遊嵌する部分よりも小径化されているが、このような具体的な形状は任意のものである。
【図面の簡単な説明】
【００４３】
【図１】本発明に係る排気装置の一例を示す構成説明図。
【図２】本発明の第１実施例に係る流路切換弁全体の断面図。
【図３】回転軸に支持された弁体の断面図。
【図４】ハウジングと弁支持体とカバーとを示す斜視図。
【図５】弁支持体の軸部に組み付けられるスペーサを示す説明図。
【図６】２つのアーム部に角度差を設けた場合の説明図。
【図７】弁支持体と固定軸を別体とした第２実施例を示す平面図。
【図８】ブッシュをハウジング側に予め組み付けた第３実施例を示す斜視図。
【図９】参考例に係る開弁駆動時の要部断面図。
【図１０】参考例に係る開弁状態での説明図。
【図１１】第４実施例を示し、（Ａ）が弁体及び保持リングの断面図、（Ｂ）が開弁駆動時における断面図。
【図１２】第５実施例の流路切換弁を示し、（Ａ）が閉弁状態の断面図、（Ｂ）が開弁駆動状態の断面図。
【符号の説明】
【００４４】
２…上流側メイン通路
３…下流側メイン通路
４…流路切換弁
８…メイン触媒コンバータ
１１…上流側バイパス通路
１６…下流側バイパス通路
１８…バイパス触媒コンバータ
２１…ハウジング
２２…弁開口部
２３…回転軸
２４…弁体
２５…弁支持体
２５Ａ…軸部
２５Ｂ…アーム部
２８…弁軸部
２８Ａ…弁本体部
２９…保持リング
４０…カバー
４１…固定ボルト
４４，４５，５０…ブッシュ
４６…スペーサ
５５，５５Ａ…テーパ部
【図１】
2008008284.tif 000003
【図２】
2008008284.tif 000004
【図３】
2008008284.tif 000005
【図４】
2008008284.tif 000006
【図５】
2008008284.tif 000007
【図６】
2008008284.tif 000008
【図７】
2008008284.tif 000009
【図８】
2008008284.tif 000010
【図９】
2008008284.tif 000011
【図１０】
2008008284.tif 000012
【図１１】
2008008284.tif 000013
【図１２】
2008008284.tif 000014